(57)【要約】【課題】清掃時にノズルブラシのブラシ毛に付着した塵埃をこのノズルブラシの収納位置で除去できる電気掃除機を提供すること。【解決手段】手元操作パイプ５に嵌合接続する隙間ノズル本体１６及び前記隙間ノズル本体１６に装着されるノズルブラシ１７を備える電気掃除機であって、前記ノズル本体１６の接続筒部１６ａを手元操作パイプ５に嵌合接続させたときに前記隙間ノズル本体１６の吸込開口２４から吸い込まれるエアの吸込風量を調整する吸込開口２８が前記隙間ノズル本体１６の中間部に形成されていると共に、前記ノズルブラシ１７を吸込開口２８の部分に装着したときに前記ノズルブラシ１７のブラシ毛３４が吸込開口２８を覆うように設定されている。【選択図】  図５
2005160564.tif 000002
【特許請求の範囲】
【請求項１】
塵埃吸込パイプに嵌合接続する隙間ノズル本体及び前記隙間ノズル本体に装着されるノズルブラシを備える電気掃除機であって、
前記隙間ノズル本体の基部を塵埃吸込パイプに嵌合接続させたときに前記隙間ノズル本体の吸込開口から吸い込まれるエアの吸込風量を調整する風量調整用開口が前記隙間ノズル本体の中間部に形成されていると共に、前記ノズルブラシを前記風量調整用開口の部分に装着したときに前記ノズルブラシのブラシ毛が前記風量調整用開口を覆うように設定されていることを特徴とする電気掃除機。
【発明の詳細な説明】
【技術分野】
【０００１】
この発明は、ブラシ付隙間ノズルを有する電気掃除機に関するものである。
【背景技術】
【０００２】
従来のブラシ付隙間ノズルとしては、例えばブラシを隙間ノズル本体に長手方向に移動可能に取り付け、複数の係止凹部をノズル本体の外周面に長手方向に間隔をおいて設け、前記複数の係止凹部のいずれかにバネ力で係合させる係止爪を前記ブラシに設けると共に、ブラシをノズル本体の先端部（吸込端部）に移動させて、ブラシのブラシ毛がノズル本体の先端から突出するように、ブラシをノズル本体の先端部に前記係止爪と係止凹部で保持するようにしたものが知られている（例えば、特許文献１参照）。
【特許文献１】特公平６−９１８７１号公報
【発明の開示】
【発明が解決しようとする課題】
【０００３】
しかしながら、上述した隙間ノズルでは、ブラシを使用して掃除をしたときに、このブラシのブラシ毛に塵埃が付着する。しかし、このブラシをブラシ毛が隙間ノズル本体の先端部から突出しない収納位置まで移動させて収納しても、ブラシ毛に付着した塵埃は付着した状態となっていた。
【０００４】
そこで、この発明は、清掃時にノズルブラシのブラシ毛に付着した塵埃をこのノズルブラシの収納位置で除去できる電気掃除機を提供することを目的とするものである。
【課題を解決するための手段】
【０００５】
この目的を達成するために、請求項１に記載の発明の電気掃除機は、塵埃吸込パイプに嵌合接続する隙間ノズル本体及び前記隙間ノズル本体に装着されるノズルブラシを備える電気掃除機であって、前記隙間ノズル本体の基部を塵埃吸込パイプに嵌合接続させたときに前記隙間ノズル本体の吸込開口から吸い込まれるエアの吸込風量を調整する風量調整用開口が前記隙間ノズル本体の中間部に形成されていると共に、前記ノズルブラシを前記風量調整用開口の部分に装着したときに前記ノズルブラシのブラシ毛が前記風量調整用開口を覆うように設定されている電気掃除機としたことを特徴とする。
【発明の効果】
【０００６】
この構成によれば、ノズルブラシを隙間ノズル本体の中間の収納位置に位置させたときに、前記ブラシ毛が前記風量調整用開口を覆うように設定されているので、この位置で隙間ノズル本体のみで清掃を行う際に、風量調整用開口から隙間ノズル本体内に吸い込まれるエアでブラシ毛に付着した塵埃を隙間ノズル本体内に吸い込ませて除去できる。
【発明を実施するための最良の形態】
【０００７】
以下、この発明の実施の形態を図面に基づいて説明する。
[構成]
図１において、１は電気掃除機の掃除機本体、２は掃除機本体１の集塵室、３は集塵室２に吸込負圧を作用させる電動送風機、４は集塵室２に接続された可撓性の集塵ホースである。この集塵ホース４の他端部には手元操作パイプ５が取り付けられ、手元操作パイプ５には延長管６を介して吸込口体７が接続されている。
【０００８】
手元操作パイプ５の後端上部には後方に延びる握り部８が設けられている。この握り部８は、手元操作パイプ５と一体に形成された下握り部９と、手元操作パイプ５の先端から下握り部８の後端までの上部開口を覆うカバー１０の後部側の部分から中空に形成されている。
【０００９】
そして、カバー１０には操作パネル１１が設けられている。この操作パネル１１には「弱／中」吸込風量切り替え用のスイッチＳ１と、「強」吸込風量用のスイッチＳ２と、「切り」用のスイッチＳ３が設けられている。
【００１０】
また、図２〜図４に示したように手元操作パイプ５の下面の前部には下方に突出し且つ前後に延びる支持突部１２が一体に形成され、図３，図４に示したように支持突部１２の両側面の前端部には軸状の取付突部１３，１３が一体に設けられている。しかも、手元操作パイプ５の下面の後部には下方に突出する係止爪１４が一体に形成されている。
【００１１】
図１，図２において、１５は手元操作パイプ５の下方に配設されたブラシ付隙間ノズルである。このブラシ付隙間ノズル１５は、図２に示したように隙間ノズル本体１６と、この隙間ノズル本体１６に装着されるノズルブラシ１７を備えている。
＜隙間ノズル本体１６＞
図５〜図６（ａ）に示したように隙間ノズル本体１６は、塵埃吸込パイプである図１，図２の手元操作パイプ５の前端部内に嵌合接続させる接続筒部１６ａと、この接続筒部１６ａに連設された扁平ノズル部１６ｂを備えている。１６ｃは、接続筒部１６ａと扁平ノズル部１６ｂとを連設している湾曲壁である。
【００１２】
この扁平ノズル部１６ｂは、図５，図６（ａ）に示したような扁平側壁１８，１８及び扁平側壁１８，１８を連設する連設壁１９，２０から断面が図１３に示したように略矩形状で長方形状に形成されている。
【００１３】
この扁平ノズル部１６ｂの先端部には、連設壁１９側に位置し且つ扁平ノズル部１６ｂの延びる方向と直交する先端面２１と、この先端面２１から円弧状に湾曲して後方に傾斜する傾斜面（湾曲傾斜面）２２と、連設壁２０側に位置し且つ傾斜面２２の後端から後方に僅かに延びる延設面２３が形成されている。
【００１４】
そして、この扁平ノズル部１６ｂの先端部には、図５，図６（ａ）に示したように先端面２１，傾斜面２２，延設面２３に跨って開口する吸込開口２４が形成されている。尚、先端面２１の連設壁１９側の端と延設面２３の後端とを結ぶ部分より前側の部分は、吸込開口２４があることにより弾性変形可能になっている。
【００１５】
また、連設壁１９の先端部には、連設壁１９から突出する突部１９ａが形成されている。更に、側壁１８，１８は連設壁２０から突出するフランジ部１８ａ，１８ａを有し、フランジ部１８ａ，１８ａの前端は前端壁２５により連設されている。この前端壁２５には係止爪部２６が形成されている。
【００１６】
このフランジ部１８ａ，１８ａと前端壁２５との間には図５，図６（ａ）に示したように凹部２７が形成され、接続筒部１６ａと連設壁２０との連設部分には図６（ａ）に示したように吸込口２８が風量調整用開口として形成されている。
【００１７】
更に、接続筒部１６ａには、フランジ部１８ａ，１８ａと略同じ幅で同方向に突出する一対の取付片２９，２９が一体に設けられている。この各取付片２９は、接続筒部１６ａと一体に形成された基部２９ａと、基部２９ａから後方に向けて延びる延設部２９ｂからＬ字状に形成されている。尚、延設部２９ｂは、弾性（バネ性）を有すると共に、後端部が接続筒部１６ａの後端から後方に向けて突出させられている。この延設部２９ｂの後端部には前後に（接続筒部１６ａの軸線と平行な方向）に延びるスリット３０が形成されている。
【００１８】
そして、この取付片２９，２９を手元操作パイプ５の支持突部１２の両側に配設すると共に、取付片２９，２９の端部をその弾性力に抗して開くようにして、支持突部１２の両側に設けた取付突部１３，１３を取付片２９，２９のスリット３０，３０に臨ませた後、取付片２９，２９の端部をその弾性力により元の状態に戻すことにより、取付突部１３，１３がスリット３０，３０に挿入される。これにより、隙間ノズル本体１６は、取付突部１３，１３がスリット３０，３０内を移動可能に、手元操作パイプ５の支持突部１２に保持されることになる。図１１（ａ），図１１（ｂ）はこの取付状態を示したものである。
【００１９】
この状態において、ブラシ付隙間ノズル１５の不使用時には、図２，図１１に示したように隙間ノズル本体１６の先端を後方に向けて、隙間ノズル本体１６の係止爪部２６を手元操作パイプ５の係止爪１４に係止させることにより、ブラシ付隙間ノズル１５を手元操作パイプ５に沿う収納位置に保持できる。
【００２０】
そして、隙間ノズル本体１６の使用時にノズルブラシ１７が使用位置にあるか収納位置にあるかに関わらず、ブラシ付隙間ノズル１５を手元操作パイプ５に沿う収納位置に保持できる。図１１（ａ）は、ノズルブラシ１７が収納位置（不使用位置）に位置している状態で、ブラシ付隙間ノズル１５を手元操作パイプ５に沿う収納位置に保持させた場合を示す。また、１１（ｂ）は、ノズルブラシ１７が使用位置に位置している状態で、ブラシ付隙間ノズル１５を手元操作パイプ５に沿う収納位置に保持させた場合を示す。
【００２１】
また、ブラシ付隙間ノズル１５の使用時には、図２の実線の状態から取付突部１３，１３をスリット３０，３０の基部２９ａとは反対側の端まで移動させて、隙間ノズル本体１６を取付突部１３，１３を中心に回動させることにより、接続筒部１６ａを手元操作パイプ５の先端に臨ませた後、取付突部１３，１３がスリット３０，３０内を基部２９ａ側に移動するように隙間ノズル本体１６を移動させることで、隙間ノズル本体１６の接続筒部１６ａを図２の二点鎖線で示したように手元操作パイプ５の先端部に嵌合することができる。
【００２２】
また、扁平ノズル部１６ｂの扁平側壁１８，１８には、図５〜図７に示したように接続筒部１６ａの軸線と平行に延びるガイド溝３１，３１がガイド部として形成されている。このガイド溝３１は、接続筒部１６ａ近傍の湾曲壁１６ｃに隣接する部分から扁平ノズル部１６ｂの先端部近傍まで延びている。そして、ガイド溝３１の扁平ノズル部１６ｂの先端部側の端部にはガイド溝３１の幅より径の大きい円形凹部３１ａが連設され、ガイド溝３１の接続筒部１６ａ側端部にはガイド溝３１と同じ幅で小判型の保持凹部３１ｂが連設されている。
【００２３】
また、扁平側壁１８には、円形凹部３１ａより後方で且つ延設面２３の近傍に位置させて第１係止凸部（第１凸部）３２が突設されている。この第１係止凸部（第１凸部）３２は、端面形状が図７，図１５に示したように長円形状に形成されている。
＜ノズルブラシ１７＞
このノズルブラシ１７は、図５，図８に示したようにブラシ台３３及びブラシ毛３４を有する。ブラシ台３３は、対向片３５ａ，３５ａおよびその連設部３５ｂからＵ字状に形成されたブラシ台本体３５と、対向片３５ａ，３５ａに一体に形成され且つ同方向に延びる半円状のツマミ部３６，３６を有する。
【００２４】
そして、ブラシ毛３４は、ブラシ台本体３５のツマミ部３６とは反対側の端面に植毛されている。また、この対向片３５ａ，３５ａ間には隙間ノズル本体１６の扁平ノズル部１６ｂが配設されている。
【００２５】
ブラシ台３３は、ツマミ部３６の内側面及び対向片３５ａの内側面に跨って面一に延びる内側面３３ａを有する。しかも、各ツマミ部３６の外側面には球面状の浅いツマミ凹部３６ａがつまみやすくするために形成されている。
【００２６】
また、対向片３５ａ，３５ａの対向面には図１３，図１４，図１６に示したように互いに接近する方向に突出するガイド凸部（係合部）３７，３７が形成されている（図９，図１０参照）。このガイド凸部３７は、円形凹部３１ａに嵌合する径に形成されていると共に、図１０に示したように円弧状部３７ａ，３７ａと平行平面部３７ｂ，３７ｂから小判形状に形成されている。
【００２７】
そして、図１６に示したようにガイド凸部３７はガイド溝３１に摺動可能に係合している。尚、ガイド凸部３７の平行平面部３７ｂ，３７ｂの幅はガイド溝３１に遊びなく摺動可能に係合する幅に形成されている。また、この平行平面部３７ｂはブラシ毛３４の突出する方向に延びている。
【００２８】
更に、ブラシ台３３の内側面３３ａには、図９，図１０に示したように平行平面部３７ｂと平行なガイド溝３８が連設部３５ｂ側に位置させて形成されている。また、ブラシ台３３の内側面３３ａには、図１０，図１４に示したように対向片３３ａの先端部側に位置させて凹部３３ｂ，３３ｃが形成されていると共に、凹部３３ｂ，３３ｃ間に位置させて第２係止凸部（第２係止部）３９が形成されている（図９参照）。
【００２９】
尚、第１，第２係止凸部３２，３９と扁平ノズル部１６ｂの連設壁１９の先端面及びブラシ台本体３５の連設部３５ｂは、ノズルブラシ１７の使用時のロック手段を構成している。
[作用]
次に、このような構成の電気掃除機の作用を説明する。
（１）吸込口体７による清掃
このような構成において、操作パネル１１の「弱／中」吸込風量切り替え用のスイッチＳ１又は「強」吸込風量用のスイッチＳ２のいずれかをオン操作すると、電動送風機３が作動して、電動送風機３の吸込負圧が集塵室２に作用する。この集塵室２に作用する吸込負圧は、集塵ホース４，手元操作パイプ５及び延長管６を介して吸込口体７に作用する。
【００３０】
これにより、清掃面の塵埃が吸込口体７にエアと共に吸い込まれ、吸い込まれたエア及び塵埃が延長管６，手元操作パイプ５及び集塵ホース４を介して集塵室２に吸い込まれる。
【００３１】
このような吸込口体７を使用する場合には、ブラシ付隙間ノズル１５を使用しない。この場合には、図２，図１１に示したように隙間ノズル本体１６の先端を後方に向けて手元操作パイプ５に沿わせると共に、隙間ノズル本体１６の係止爪部２６を手元操作パイプ５の係止爪１４に係止させることにより、ブラシ付隙間ノズル１５を手元操作パイプ５に沿って保持させておく。
（２）ブラシ付隙間ノズル１５による清掃
また、ブラシ付隙間ノズル１５を使用する場合、図２の実線の状態から先ず隙間ノズル本体１６を手元操作パイプ５の先端側に移動させて、隙間ノズル本体１６の係止爪部２６を手元操作パイプ５の係止爪１４から外した後、取付突部１３，１３をスリット３０，３０の基部２９ａ側に移動させて、隙間ノズル本体１６を取付突部１３，１３を中心に回動させることにより、接続筒部１６ａを手元操作パイプ５の先端に臨ませる。
【００３２】
この状態で、取付突部１３，１３がスリット３０，３０内を基部２９ａ側に移動するように隙間ノズル本体１６を移動させて、隙間ノズル本体１６の接続筒部１６ａを図２の二点鎖線で示したように手元操作パイプ５の先端部に嵌合する。
【００３３】
このようにして隙間ノズル本体１６を手元操作パイプ５の先端部に接続すると共に、図１の操作パネル１１の「弱／中」吸込風量切り替え用のスイッチＳ１又は「強」吸込風量用のスイッチＳ２のいずれかをオン操作すると、電動送風機３が作動して、電動送風機３の吸込負圧が集塵室２に作用する。この集塵室２に作用する吸込負圧は、集塵ホース４及び手元操作パイプ５を介して隙間ノズル本体１６に作用する。
【００３４】
これにより、吸込開口２４から隙間ノズル本体１６内に塵埃及びエアが吸い込まれ、この吸い込まれた塵埃及びエアは手元操作パイプ５及び集塵ホース４を介して集塵室２内に吸い込まれる。尚、この際、風量調整用開口である吸込開口２８からもエアが隙間ノズル本体１６内に吸い込まれる。
（ａ）ノズルブラシ１７の不使用時
この際、ノズルブラシ１７が邪魔にならないようにするために、図２に二点鎖線で示したように又は図１１（ａ）で示したようにノズルブラシ１７をノズル本体１６の接続筒部１６ａ側に位置させておく。これにより、ノズル本体１６の先端部を狭い場所に入れて使用しても、ノズルブラシ１７が邪魔になることはない。
【００３５】
尚、この位置では、ノズルブラシ１７の対向片３３ａ，３３ａに設けたガイド凸部３７，３７が、対向片３３ａ，３３ａの弾性力（バネ力）により、小判形状の保持凹部３１ｂ，３１ｂに係合させられている。これにより、ノズルブラシ１７が隙間ノズル本体１６の先端側に移動することはない。また、この位置では、ノズルブラシ１７のブラシ毛３４の一部が図６（ａ）に示した吸込開口（風量調整用開口）２８に臨んでいるので、清掃時にブラシ毛３４に付着した塵埃が吸込開口２８からノズルブラシ１７内に吸い込まれて除去されることになる。
（ｂ）ノズルブラシ１７の使用時
また、例えば、部屋の床と壁とのコーナ部を清掃する場合には、図１２（ａ）の状態からツマミ部３６を掴んでノズルブラシ１７に隙間ノズル本体１６の先端側への移動力を作用させると、対向片３３ａ，３３ａの弾性力（バネ力）がその弾性力に抗して開く方向に変形させられて、ガイド凸部３７，３７が小判形状の保持凹部３１ｂ，３１ｂからガイド溝３１，３１側に移動する。
【００３６】
この状態から更にツマミ部３６を掴んでノズルブラシ１７をノズルブラシ１７のガイド凸部３７と扁平ノズル部１６ｂのガイド溝３１とにより案内させて扁平ノズル部１６ｂの先端部まで図１２（ｂ）に示したように移動させ、ガイド凸部３７を円形凹部３１ａに係合させる。この位置では、ガイド凸部３７が対向片３３ａ，３３ａの弾性力で円形凹部３１ａに係合している。
【００３７】
この後、ノズルブラシ１７の第２係止凸部３９が扁平ノズル部１６ｂの第１係止凸部３２を乗り越えるまで、ツマミ部３６を掴んでノズルブラシ１７を図１２（ｃ）に矢印Ｂ１で示した方向に扁平ノズル部１６ｂの側面に沿って回動させる。この際、ノズルブラシ１７はガイド凸部３７を中心に回動する。そして、この回動によりブラシ台３３を図１２（ｄ）で示したように吸込開口２４に沿わせ、ブラシ毛３４を吸込開口２４の端縁側から吸込方向とは反対方向に突出させる。
【００３８】
この位置では、図１５に示したようにブラシ台本体３５の連設部３５ｂが扁平ノズル部１６ｂの連設壁１９の先端面に当接係合すると共に、図１４に示したようにノズルブラシ１７の第２係止凸部３９が扁平ノズル部１６ｂの第１係止凸部３２の前側に係合して、ブラシ台３３が吸込開口２４に沿った状態で固定（ロック）される。
【００３９】
これにより、ブラシ毛３４を清掃面に強く押し付けても、ブラシ台本体３５の連設部３５ｂに作用する反力は連設壁１９の先端面で受け止められる一方、扁平ノズル部１６ｂの第１係止凸部３２がノズルブラシ１７の第２係止凸部３９の後方への移動を阻止している。この結果、ブラシ毛３４を清掃面に強く押し付けても、ノズルブラシ１７が接続筒部１６ａ側にズレることがない。
（ｃ）その他
尚、ブラシ台本体３５の連設部３５ｂを扁平ノズル部１６ｂの連設壁１９の先端面から離反する方向に引っ張ることにより、ブラシ台本体３５がガイド凸部３７を中心に回動させられて、第２係止凸部３９が第１係止凸部３２を前側から後側に乗り越える。
【００４０】
そして、ブラシ台本体３５のガイド溝３８の一端を第１係止凸部３２に臨ませて、ツマミ部３６を掴んでブラシ台本体３５に接続筒部１６ａ側への移動力を作用させると、対向片３３ａ，３３ａの弾性力に抗してガイド凸部３７が円形凹部３１ａから抜け外れてガイド溝３１内に移動すると共に、第１係止凸部３２がガイド溝３８に係合する。
【００４１】
この後、更にツマミ部３６を掴んでブラシ台本体３５を接続筒部１６ａ側に移動させると、最初はガイド凸部３７がガイド溝３１に案内されると共に、ガイド溝３８が第１係止凸部３２に案内される状態で、ブラシ台本体３５が接続筒部１６ａ側に移動する。そして、ガイド溝３８が第１係止凸部３２から外れた後は、ガイド凸部３７がガイド溝３１に案内されてブラシ台本体３５が接続筒部１６ａ側に移動する。
【００４２】
このようにブラシ台本体３５が接続筒部１６ａ側に移動させて、ノズルブラシ１７の対向片３３ａ，３３ａに設けたガイド凸部３７，３７を、対向片３３ａ，３３ａの弾性力（バネ力）により、小判形状の保持凹部３１ｂ，３１ｂに係合させることにより、ノズルブラシ１７を使用位置から不使用位置に容易に移動させることができる。
（変形例１）
以上説明した実施例では、ノズルブラシ１７の使用時に、ブラシ台本体３５の連設部３５ｂを扁平ノズル部１６ｂの連設壁１９の先端面に当接係合させるようにしたが、必ずしもこれに限定されるものではない。
【００４３】
例えば、図１７に示したように、扁平ノズル部１６ｂの連設壁１９の先端部に係止凹部４０を形成し、この係止凹部４０に係合する係合突部４１をブラシ台本体３５の連設部３５ｂに設けた構成としても良い。
【００４４】
この場合には、係止凹部４０と係合突部４１により、ブラシ台本体３５を使用位置に遊び無く保持できる。
（変形例２）
また、以上説明した実施例では、扁平ノズル部１６ｂのガイド溝３１とノズルブラシ１７のガイド凸部３７によりノズルブラシ１７を接続筒部１６ａ側端部と扁平ノズル部１６ｂの先端部との間で移動可能に案内させるようにしたが、必ずしもこれに限定されるものではない。
【００４５】
例えば、図１８，図１９に示したように、扁平側壁１８，１８に接続筒部１６ａの近傍から扁平ノズル部１６ｂの先端部まで延びるガイドスリット（ガイド部）４２を形成すると共に、図２０，図２１に示したようにブラシ台本体３５の対向片３５ａ，３５ａに突設したガイド軸（係合部を）４３，４３をガイドスリット４２，４２に挿通し、ガイド軸４３，４３の先端に抜け外れ防止用の頭部４３ａ，４３ａを設けた構成としても良い。
【００４６】
このガイドスリット部４２ｂ，４２ｃの連設部４２ｄは円形に形成されていて、ガイド軸４３が回動できるようになっている。
【００４７】
また、この場合、ガイドスリット４２は、連設壁１９，２０に沿って平行に扁平ノズル部１６ｂの先端部近傍まで直線的に延びるガイドスリット部４２ａと、ガイドスリット部４２ａの先端から連設壁１９の先端側に向けて斜して延びるガイドスリット部４２ｂと、ガイドスリット部４２ｂの連設壁１９に対して垂直に且つ連設壁１９側の端から折り返すように延びるガイドスリット部４２ｃを有する。
【００４８】
しかも、ガイドスリット部４２ａの接続筒部１６ａ側の端部近傍には係止凸部（移動規制凸部）４４が設けられ、ガイドスリット部４２ｃの端部近傍には係止突部（移動規制凸部）４５が設けられている。この係止凸部４４，４５の先端側に形成される間隙Ｘ１はガイド軸４３の径よりも小さく設定されている。
【００４９】
尚、本実施例では、上述したブラシ台本体３５のツマミ部３６を省略しているが、上述と同様にブラシ台本体３５にツマミ部３６を設けても良い。
＜ノズルブラシ１７の不使用時＞
このような構成において、ノズルブラシ１７の不使用時には、ガイド軸４３がガイドスリット部４２ａの接続筒部１６ａ側の端部に位置していて、係止凸部４４はガイド軸４３が扁平ノズル部１６ｂの先端部側に移動するのを規制している。
＜ノズルブラシ１７の使用時＞
この状態からノズルブラシ１７を使用する場合には、先ずノズルブラシ１７を扁平ノズル部１６ｂの先端部側に引っ張ってノズルブラシ１７を扁平ノズル部１６ｂの先端部側に移動させる。この際、ガイド軸４３は、係止凸部４４を弾性変形させながら乗り越えることになる。
【００５０】
次に、ガイド軸４３を、係止凸部４４を乗り越えた位置から更にノズルブラシ１７を扁平ノズル部１６ｂの先端部側に移動させた後、ガイドスリット部４２ｂに沿ってガイドスリット部４２ｂとガイドスリット４２ｃの連設部４２ｄに移動させる。
【００５１】
そして、この連設部４２ｄの位置でノズルブラシ１７を回動させることにより、ノズルブラシ１７のブラシ毛３４を扁平ノズル部１６ｂの先端から突出させる。この状態では、断面小判形状のガイド軸４３がガイドスリット部４２ｃに移動できる状態となるので、ガイド軸４３をガイドスリット部４２ｃの先端部側に移動させる。この移動に伴いガイド軸４３は、係止凸部４５を弾性変形させて乗り越えて、ガイドスリット部４３ｃの端部まで移動させられる。
【００５２】
この位置はノズルブラシ１７の使用位置となり、ノズルブラシ１７の連設部３５ｂが扁平ノズル部１６ｂの連設壁１９の先端面に当接させられる。しかも、ガイド軸４３は、係止凸部４５により連設部４２ｄ側への移動が規制されている。
【００５３】
この状態で、ノズルブラシ１７のブラシ毛３４を清掃面に押し付けても、この際の反力はガイド軸４３とガイドスリット部４２ｃ及びノズルブラシ１７の連設部３５ｂと扁平ノズル部１６ｂの連設壁１９により受けられることになる。この結果、ノズルブラシ１７のブラシ毛３４を清掃面に押し付けても、ノズルブラシ１７が接続筒部１６ａ側に移動するのが確実に防止される。
【００５４】
尚、ノズルブラシ１７を使用位置から不使用位置まで戻すには、上述とは逆の操作を行えばよい。
【００５５】
また、風量調整用開口としての吸込開口２８を連設壁２０と接続筒部１６ａとの間に設けた例を示したが、必ずしもこれに限定されるものではない。
【００５６】
例えば、図６（ｂ）に示したように扁平壁１８，１８の接続筒部１６ａ側端部に風量調整用開口としての吸込開口２８ａを設けてもよい。また、この吸込開口２８ａは小さなものを複数設けることもできる。しかも、これらの場合、複数の小さな吸込開口を扁平ノズル部１６ｂの接続筒部側の端部に周方向に環状に配列しても良い。
【００５７】
このような構成によれば、吸込開口２８ａからもエアが隙間ノズル本体１６内に吸い込まれるので、ノズルブラシ１７の不使用時に、ブラシ毛３４の吸込開口２８ａに臨む部分に付着した塵埃も吸込開口２８ａから吸い込まれるエアと共にノズルブラシ１７内に吸い込ませて、ブラシ毛３４に付着した塵埃を広範囲に亘って除去できる。なお、図６（ｂ）の吸込開口２８は省略することもできる。
【００５８】
また、吸込開口２８ａに変えて、扁平壁１８の外側面に吸込開口２８に連通する凹部（又は溝）を隙間ノズル本体１６の周方向に向けて形成して、ノズルブラシ１７の不使用時に、凹部（又は溝）をノズルブラシ１７のブラシ毛３４で覆うようにノズルブラシ１７を収納することで、凹部（又は溝）から風量調整用開口としての吸込開口２８ａにエアを吸い込ませて、ブラシ毛３４に付着した塵埃を除去できる。この場合も、ブラシ毛３４に付着した塵埃を広範囲に亘って除去できる。
【００５９】
更に、以上説明した実施例では、ノズルブラシ１７を扁平ノズル部１６ｂに沿って移動させることにより、このノズルブラシ１７を使用位置（先端部の位置）と不使用位置（接続筒部側の収納位置）の間で移動可能としているが、必ずしもこれに限定されるものではない。例えば、ノズルブラシ１７を隙間ノズル本体１６の先端部及び中間部（接続筒部側の収納位置）に対して着脱可能に設けた構成であっても良い。この場合、隙間ノズル本体１６の中間部にノズルブラシ１７が装着されたときに、ノズルブラシ１７のブラシ毛３４が上述した吸込開口２８，２８ａや凹部（又は溝）を覆うようにして、上述と同様にブラシ毛３４に付着した塵埃を除去するようにすると良い。
【００６０】
また、以上説明した例では、扁平ノズル部１６ｂの扁平側壁１８にガイドスリット４２を設け、ノズルブラシ１７のガイド軸４３をガイドスリット４２に挿通するようにしているが、必ずしもこれに限定されるものではない。例えば、ガイドスリット４２をガイド溝に変えた構成としても良い。
【００６１】
以上説明したように、この発明の実施の形態の電気掃除機は、塵埃吸込パイプ（手元操作パイプ５）に嵌合接続する隙間ノズル本体１６及び前記隙間ノズル本体１６に装着されるノズルブラシ１７を備える電気掃除機であって、前記ノズル本体１６の基部（接続筒部１６ａ）を塵埃吸込パイプ（手元操作パイプ５）に嵌合接続させたときに前記隙間ノズル本体１６の吸込開口２４から吸い込まれるエアの吸込風量を調整する風量調整用開口（吸込開口２８）が前記隙間ノズル本体１６の中間部に形成されていると共に、前記ノズルブラシ１７を前記風量調整用開口（吸込開口２８）の部分に装着したときに前記ノズルブラシ１７のブラシ毛３４が前記風量調整用開口（吸込開口２８）を覆うように設定されている。
【００６２】
この構成によれば、ノズルブラシ１７を隙間ノズル本体１６の中間の収納位置に位置させたときに、前記ブラシ毛３４が前記風量調整用開口（吸込開口２８）を覆うように設定されているので、この位置で隙間ノズル本体１６のみで清掃を行う際に、風量調整用開口（吸込開口２８）から隙間ノズル本体１６内に吸い込まれるエアでブラシ毛３４に付着した塵埃を隙間ノズル本体内１６に吸い込ませて除去できる。
【００６３】
また、この発明の実施の形態の電気掃除機は、隙間ノズル本体１６及び前記隙間ノズル本体１６に装着されるノズルブラシ１７を備えている。しかも、前記隙間ノズル本体１６は塵埃吸込パイプ（手元操作パイプ５）に嵌合接続させる接続筒部１６ａ及び前記接続筒部１６ａに連設された扁平ノズル部１６ｂを備えている。また、前記ノズルブラシ１７は、前記接続筒部１６ａ側の部分と前記扁平ノズル部１６ｂの先端部との間で移動可能に前記扁平ノズル部１６ｂの外周面に保持されたブラシ台３３、及び、前記ブラシ台３３に設けられたブラシ毛３４を備えている。しかも、前記隙間ノズル本体１６の前記接続筒部１６ａ側の部分には前記接続筒部１６ａを前記塵埃吸込パイプ（手元操作パイプ５）に嵌合接続させたときに前記吸込開口２４から吸い込まれるエアの吸込風量を調整する風量調整用開口（吸込開口２８）が形成されていると共に、前記ブラシ台３３を前記接続筒部側の部分に移動させたときに前記ブラシ毛３４が前記風量調整用開口（吸込開口２８）を覆うように設定されている。
【００６４】
この構成によれば、前記ブラシ台３３を前記接続筒部１６ａ側の部分に移動させてノズルブラシ１７を収納位置に位置させたときに、前記ブラシ毛３４が前記風量調整用開口（吸込開口２８）を覆うように設定されているので、この位置で隙間ノズル本体１６のみで清掃を行う際に、風量調整用開口（吸込開口２８）から隙間ノズル本体１６内に吸い込まれるエアでブラシ毛３４に付着した塵埃を隙間ノズル本体１６内に吸い込ませて除去できる。
【図面の簡単な説明】
【００６５】
【図１】この発明に係る電気掃除機の斜視図である。
【図２】図１の手元操作パイプからカバーを除いた状態の要部拡大図である。
【図３】図２の手元操作パイプからブラシ付隙間ノズルを取り外した状態の説明図である。
【図４】図３の右側面図である。
【図５】図２のブラシ付隙間ノズルの斜視図である。
【図６】（ａ）は図２の隙間ノズル本体の斜視図、（ｂ）は（ａ）の変形例を示す斜視図である。
【図７】図２の隙間ノズル本体の側面図である。
【図８】図２のノズルブラシの斜視図である。
【図９】図８のノズルブラシを矢印Ａ１方向から見た部分説明図である。
【図１０】図９のノズルブラシを矢印Ａ２方向から見た説明図である。
【図１１】（ａ），（ｂ）はブラシ付隙間ノズルの不使用時の収納例を示す説明図である。
【図１２】（ａ）〜（ｄ）は図２のノズルブラシを使用位置まで移動させる際の作用説明図である。
【図１３】図１２（ａ）の左側面図である。
【図１４】図１２（ｄ）のブラシ付隙間ノズルからブラシ毛を除いた状態で、ブラシ付隙間ノズルを矢印Ａ３方向から見た説明図である。
【図１５】図１４のＡ４−Ａ４線における部分断面図である。
【図１６】図１２（ａ）の矢印Ａ５−Ａ５における断面を有するブラシ付隙間ノズルの斜視図である。
【図１７】ブラシ付隙間ノズルの他の例を示す部分断面図である。
【図１８】ブラシ付隙間ノズルの更に他の例を示す部分断面図である。
【図１９】図１８の隙間ノズル本体の説明図である。
【図２０】図１８のＡ６−Ａ６線に沿う断面図である。
【図２１】図２０のＢ部の拡大図である。
【符号の説明】
【００６６】
５…手元操作パイプ（塵埃吸込パイプ）
１６…隙間ノズル本体
１６ａ…接続筒部（基部）
１７…ノズルブラシ
２４…吸込開口
２８…吸込開口（風量調整用開口）
３４…ブラシ毛
【図１】
2005160564.tif 000003
【図２】
2005160564.tif 000004
【図３】
2005160564.tif 000005
【図４】
2005160564.tif 000006
【図５】
2005160564.tif 000007
【図６】
2005160564.tif 000008
【図７】
2005160564.tif 000009
【図８】
2005160564.tif 000010
【図９】
2005160564.tif 000011
【図１０】
2005160564.tif 000012
【図１１】
2005160564.tif 000013
【図１２】
2005160564.tif 000014
【図１３】
2005160564.tif 000015
【図１４】
2005160564.tif 000016
【図１５】
2005160564.tif 000017
【図１６】
2005160564.tif 000018
【図１７】
2005160564.tif 000019
【図１８】
2005160564.tif 000020
【図１９】
2005160564.tif 000021
【図２０】
2005160564.tif 000022
【図２１】
2005160564.tif 000023